(57)【特許請求の範囲】
【請求項１】
筺体の一部に開口する開口部と、この開口部に臨む前記筐体に設けたイヤホンジャックと、前記開口部を開閉自在に塞いで前記イヤホンジャックを保護するイヤホンキャップとを備えた携帯端末装置であって、
前記イヤホンキャップの外側端面を避けた外周面に、この周面方向に沿った溝を設けたことを特徴とする携帯端末装置。
【請求項２】
前記イヤホンジャックと前記イヤホンキャップとの間に、前記イヤホンキャップの取外し操作の際のイヤホンキャップ変形動作を確保するための隙間を設けたことを特徴とする請求項１に記載の携帯端末装置。
【発明の詳細な説明】
【０００１】
【発明の属する技術分野】
この発明は、イヤホンジャックを保護するイヤホンキャップを備えた携帯電話機などの携帯端末装置に関するものである。
【０００２】
【従来の技術】
携帯電話機などの携帯端末装置にあっては、ハンズフリーなどのユーザの要望に応えるために、イヤホンマイクなどを差し込んで接続するイヤホンジャックが設けられている。また、このイヤホンジャックは、普段使用しない場合、イヤホンキャップを被せてこのイヤホンジャックを保護するようになっている。
【０００３】
ところで、近年、前述したハンズフリーばかりでなく、例えば音楽配信その他の各種の機能やサービスなどを受けるために各種の専用機器などが開発されており、イヤホンジャックを介してこれらの専用器機などを接続させるために、イヤホンキャップの開閉頻度が増大している。
【０００４】
以下、このイヤホンキャップを備えた携帯電話機について、図面を参照しながら説明する。
図５及び図６は、従来の携帯電話機の側面部分とその断面を示すものであり、携帯電話機の筺体１００の側面部分には、イヤホンジャック１０１を取り付けた開口部１０２を設けている。また、この筺体１００の開口部１０２には、前述したイヤホンキャップ１０３を開閉自在に取付けている。
【０００５】
通常、このイヤホンキャップ１０３は、可撓性を有する弾性材料で形成されており、図６に示すように、筺体１００側の切欠いた溝１００Ａに係止する薄肉部１０３Ａと、この薄肉部１０３Ａを挟んで両側に設けた基部１０３Ｂ及び蓋部１０３Ｃとを備えている。即ち、このイヤホンキャップ１０３は、薄肉部１０３Ａを挟んで設けた基部１０３Ｂと蓋部１０３Ｃの一部との間で筺体１００側の溝１００Ａに常時固定されているとともに、蓋部１０３Ｃの裏面中央部に設けた突出部１０３Ｄがイヤホンジャック１０１の穴１０１Ａに抜脱可能な状態で嵌合されている。
【０００６】
従って、イヤホンジャック１０１を使用する場合には、図７に示すように、指先や爪で蓋部１０３Ｃを引っ掛けて引き上げれば、蓋部１０３Ｃが屈曲・変移して回動し、開口部１０２が開放されるようになっている。
【０００７】
また、このイヤホンジャック１０１を設けてある筺体１００の開口部１０２には、指先などでの蓋部１０３Ｃの開放動作を行い易くするために、例えば図６に示すように、指先などを挿入するために抉って（座ぐって）設けた凹所１００Ｂなどを有するものが知られている。
【０００８】
【発明が解決しようとする課題】
しかしながら、このような構成の携帯電話機にあっては、前述した凹所などを形成するといった事情から、その分、外観上のデザインなどに制約を受ける虞があり、設計自由度が狭まり不都合を生じている。
【０００９】
また、このような構成の携帯電話機にあっては、イヤホンキャップ１０３で塞がれる筺体１００の開口部１０２の内周縁に、前述したような凹所１００Ｂを設ける関係上、少なくともその凹所１００Ｂよりも高いレベルまで蓋部１０３Ｃを厚く形成して外部へ突出させることが必要である。
このような事情から、キャップがどうしても厚肉形状になるため、筺体側面から突出して外観上の美観を損なう虞もある。
【００１０】
そこで、この発明は、上記した事情に鑑み、イヤホンキャップの外観上の見栄えを損なうことなく、デザイン性を向上させることができるとともに、イヤホンキャップの開閉操作を容易に行うことができる携帯端末装置を提供することを目的とするものである。
【００１１】
【課題を解決するための手段】
上述した課題を解決するため、この発明の携帯端末装置は、筺体の一部に開口する開口部と、この開口部に臨む前記筐体に設けたイヤホンジャックと、前記開口部を開閉自在に塞いで前記イヤホンジャックを保護するイヤホンキャップとを備えた携帯端末装置であって、
前記イヤホンキャップの外側端面を避けた外周面に、この周面方向に沿った溝を設けたことを特徴としている。
【００１２】
これにより、イヤホンキャップの外観上の見栄えを損なうことなく、デザイン性を向上させることができるとともに、イヤホンキャップの開閉操作を容易に行うことができる。
【００１３】
また、この発明の携帯端末装置は、前記イヤホンジャックとイヤホンキャップとの間に、前記イヤホンキャップの取外し操作の際の変形を確保するための隙間を設けることが好ましい。
【００１４】
これにより、イヤホンキャップの開閉操作を一層容易に行うことができる。
【００１５】
【発明の実施の形態】
以下、この発明に係る実施の形態について、添付図面を参照しながら詳細に説明する。
図１は、この発明に係る携帯電話機１を示すものであり、この携帯電話機１は、筐体１０に、アンテナ２と、スピーカ３と、コネクタ４と、イヤホンジャック５（図３参照）と、いずれも図示しないが、表示部、キースイッチ、送話部、受話部などとを備えている。
【００１６】
このうち、イヤホンジャック５は、筺体１０の側面１１の一部に開口する開口部１１Ａ（図２参照）を臨むような状態で設けられており、具体的には、後述するイヤホンキャップ６を開いたときに、図示外の各種の外部器機と接続するイヤホンジャック５の接続端部がこの開口部１１Ａを介して外部に露出するような状態で設けられている。
【００１７】
イヤホンキャップ６は、可撓性を有する適宜の弾性材料で形成されており、図３に示すように、筺体１０側の切欠いた長溝１２（図２及び図３参照）に挟着された薄肉部６１と、この薄肉部６１を挟む両側に設けた基部６２及び蓋部６３とを備えている。即ち、このイヤホンキャップ６は、薄肉部６１を挟んで設けた基部６２と蓋部６３の一部との間で筺体１０側の長溝１２に挟み付けられて固定・保持されている。
【００１８】
基部６２は、薄肉部６１からその厚さ方向に対して直交する方向に突出した薄板矩形状に形成されており、イヤホンキャップ６の抜け止めを防止するようになっている。
【００１９】
一方、蓋部６３には、薄肉部６１につながる略矩形状の板状部６３１と、この板状部６３１から延出しイヤホンキャップ６開放時の回動支点となる薄肉状の折曲部６３２と、この折曲部６３２から延びる略円板状の開閉部６３３とを備えており、開閉部６３３の裏面中心部に設けた突出部６３３Ａが、イヤホンジャック５の略リング状を有する外端部５１の穴５１Ａに抜脱可能な状態で嵌合されている。
【００２０】
また、この蓋部６３の開閉部６３３には、この開閉部６３３の表面を囲む外周面上に沿って細幅形状の溝６３３Ｄが刻設されており、図４に示すように、この溝６３３Ｄに爪などで係止させると、開閉部６３３が引き出し易くなっている。なお、この実施の形態では、この溝６３３Ｄを開閉部６３３の外周面全体に対して、凡そ中心角で４５度乃至６０度程度の長さ（つまり、前周長さに対して１／８から１／６程度の長さ）に形成しているが、爪を係止させ易い長さであればよい。
【００２１】
さらに、この開閉部６３３の裏面には、中心部に設けた前述の突出部６３３Ａと、外周面を構成する鍔部６３３Ｂと、これら突出部６３３Ａ及び鍔部６３３Ｂとの間に設けた円環状の空間からなる欠肉部６３３Ｃとを有している。また、この突出部６３３Ａは、イヤホンジャック５の略リング状を有する外端部５１に内接・嵌合して、普段、イヤホンジャック５を外部から保護するようになっている。一方、欠肉部６３３Ｃは、イヤホンジャック５の略リング状を有する外端部５１の肉厚よりも大きな幅で形成してあるので、外端部５１との間で空間的な遊びとなる隙間Ｇが形成されている。
【００２２】
従って、イヤホンジャック５を保護するためにその外端部５１に蓋部６３の開閉部６３３を被せて嵌合させた状態から、イヤホンキャップ６を取り外す場合には、外端部５１と欠肉部６３３Ｃとの間に前述した隙間Ｇが形成されているので、イヤホンキャップ６の取外し操作の際、鍔部６３３Ｂが容易にその形状を変形することができ、取り外しが容易に行える。
【００２３】
つまり、図４に示すように、指先や爪を開閉部６３３と側面１１の開口部１１Ａとの間に押し込むと、開閉部６３３が押し曲げられて変形し、指先や爪を開閉部６３３に引っ掛けて引き出すことができるわけである。このとき、開閉部６３３には突出部６３３Ａがあるので、初めに、指先や爪を確実に引っ掛けるときの手がかりとして利用することができる。
【００２４】
【発明の効果】
以上説明してきたように、この発明は、筺体の一部に開口する開口部と、この開口部に臨む筐体に設けたイヤホンジャックと、開口部を開閉自在に塞いでイヤホンジャックを保護するイヤホンキャップとを備えた携帯端末装置であって、イヤホンキャップの外側端面を避けた外周面に、この周面方向に沿った溝を設けており、この溝に指先や爪を差込むことでイヤホンキャップの開閉操作を容易に行うことができるようになる。
【００２５】
従って、蓋部の開放動作を行い易くするために筺体の開口部に設けていた凹所が必要なくなるとともに、凹所を不要とする分、その凹所を考慮して厚さを厚くしたイヤホンキャップが必要なくなるので、イヤホンキャップの外観上の見栄えを損なうことがなくなるとともに、デザイン性を向上させることができる。しかも、凹所が不要となる分、外観上のデザインに制約を受けることが少なくなるので、その分だけ設計自由度が広がる。
【図面の簡単な説明】
【図１】この発明に係る携帯電話機を示す斜視図である。
【図２】図１に示すこの発明の携帯電話機におけるイヤホンキャップの装着状態を示す要部側面図である。
【図３】この発明の携帯電話機において図２に示す要部の断面図である。
【図４】この発明の携帯電話機のイヤホンキャップの取外し状態を示す説明図である。
【図５】従来の携帯電話機におけるイヤホンキャップを示す要部側面図である。
【図６】従来の携帯電話機において図５に示す要部の側断面図である。
【図７】従来の携帯電話機に用いるイヤホンキャップの取外し状態を示す説明図である。
【符号の説明】
１        携帯電話機
１０      筐体
１１      側面
１１Ａ    開口部
１２      長溝
２        アンテナ
３        スピーカ
４        コネクタ
５        イヤホンジャック
５１      外端部
５１Ａ    穴
６        イヤホンキャップ
６１      薄肉部
６２      基部
６３      蓋部
６３１    板状部
６３２    折曲部
６３３    開閉部
６３３Ａ  突出部
６３３Ｂ  鍔部
６３３Ｃ  欠肉部
６３３Ｄ  溝
Ｇ        隙間
【図１】
0003886112.tif 000002
【図２】
0003886112.tif 000003
【図３】
0003886112.tif 000004
【図４】
0003886112.tif 000005
【図５】
0003886112.tif 000006
【図６】
0003886112.tif 000007
【図７】
0003886112.tif 000008